(57)【要約】【課題】遊技機の大入賞口装置において、扉部を強制的に開放する不正行為を防止する。【解決手段】大入賞口１３を開閉可能に本体部に設けられた扉部１４を駆動する駆動装置１７と、駆動装置１７による扉部１４の開閉動作を許容し、扉部１４に応力が加えられた場合には開くのを阻止する開閉規制機構とを設ける。駆動装置１７は、プランジャ１７ａおよびこれを出没させるソレノイド１７ｂであり、開閉規制機構は、プランジャ１７ａに遊びを持って取り付けられてその出没運動により２つの位置間を移動するリンク部材２３と、リンク部材２３が第１の位置の場合では扉部１４を閉鎖位置にし、第２の位置では扉部１４を開放位置にするロッド２４と、突出端がプランジャ１７ａによるリンク部材２３の移動軌跡よりも駆動装置１７側に位置してリンク部材２３に向けて突出形成された規制部２５とで構成する。【選択図】        図７
2005323756.tif 000002
【特許請求の範囲】
【請求項１】
内部に入賞球排出口が形成された大入賞口を備えた本体部と、
前記大入賞口を開閉可能に前記本体部に設けられた扉部と、
前記扉部を開閉駆動する駆動装置と、
前記駆動装置による前記扉部の開閉動作を許容するとともに、前記扉部に応力が加えられた場合には当該扉部が開くのを阻止する開閉規制機構と、
を有することを特徴とする大入賞口装置。
【請求項２】
前記駆動装置は、プランジャおよびこれを出没させるソレノイドであり、
前記開閉規制機構は、
前記ソレノイドに対して遊びを有して前記プランジャに取り付けられ、当該プランジャの出没運動により第１の位置と第２の位置との間を移動するリンク部材と、
前記リンク部材および前記扉部に係合して配置されて前記リンク部材の移動により移動され、前記リンク部材が前記第１の位置にある場合には前記扉部を閉鎖位置にし、前記リンク部材が前記第２の位置にある場合には前記扉部を開放位置にするロッドと、
突出端が前記プランジャによる前記リンク部材の移動軌跡よりも前記駆動装置側に位置するようにして前記リンク部材に向けて突出形成された規制部とを有し、
閉鎖位置にある前記扉部に応力が加えられた場合には、前記第１の位置にある前記リンク部材は前記規制部に当接して前記第２の位置への移動が規制されることを特徴とする請求項１記載の大入賞口装置。
【請求項３】
前記リンク部材は、略Ｌ字状に形成されていることを特徴とする請求項１または２記載の大入賞口装置。
【請求項４】
請求項１〜３の何れか一項に記載の大入賞口装置が遊技盤に取り付けられていることを特徴とする遊技機。
【発明の詳細な説明】
【技術分野】
【０００１】
本発明は、パチンコ機等の遊技機に設けられた大入賞口装置に関するものである。
【背景技術】
【０００２】
遊技機の一種であるパチンコ機は、遊技球が流下する遊技領域を有する遊技盤を備えている。遊技盤には、始動入賞装置や大入賞口装置などの可変入賞装置、始動ゲート、普通図柄表示装置や特別図柄表示装置などが配設されている。ここで、始動入賞装置にはソレノイドで開閉駆動される羽根部が、大入賞口装置の大入賞口には同じくソレノイドで開閉駆動される扉部が設けられている。
【０００３】
このようなパチンコ機において、始動入賞装置に遊技球が入賞すると特別図柄表示装置の複数の図柄が変動して停止する。そして、停止時の図柄の組み合わせが予め設定された特定の図柄の組み合わせとなった場合に遊技者に有利な特別遊技状態に移行し、大入賞口装置の扉部が所定の開放状態となって大入賞口に遊技球が入賞しやすくなる。したがって、特別遊技状態では、大入賞口に遊技球が入賞することにより、遊技者に多数の景品球が払い出される。
【０００４】
なお、始動入賞装置に設けられた羽根部は、通常では、遊技球が始動入賞装置に入賞しにくい閉鎖状態となっている。そして、始動ゲートを遊技球が通過したことにより行われる抽選に当たって普通図柄表示装置が所定の表示態様になった場合に開放状態になって遊技球が入賞しやすくなる。
【０００５】
このように、大入賞口に遊技球が入賞すると多数の景品球が払い出されることから、例えば特許文献１に記載のように、閉じ位置では扉部に対して操作が加え難く、容易に開放位置に変位させ難い構造とされたものがある。
【特許文献１】特開２００２−３４６９６１号公報
【発明の開示】
【発明が解決しようとする課題】
【０００６】
しかしながら、前述した技術では、扉部に加えられた応力では開放状態になってしまうことから、パチンコ機の隙間から針金等をパチンコ機内へ侵入させて大入賞口装置の扉部を強制的にこじ開け、所定条件が成立してないにもかかわらず、多数の遊技球を大入賞口に入賞させようとする不正行為が行われるおそれがあった。
【０００７】
そこで、本発明は、扉部に応力を加えてこれを開放する不正行為を防止することのできる大入賞口装置およびそれが取り付けられた遊技機を提供することを目的とする。
【課題を解決するための手段】
【０００８】
上記課題を解決するため、本発明に係る大入賞口装置は、内部に入賞球排出口が形成された大入賞口を備えた本体部と、大入賞口を開閉可能に本体部に設けられた扉部と、扉部を開閉駆動する駆動装置と、駆動装置による扉部の開閉動作を許容するとともに、扉部に応力が加えられた場合には当該扉部が開くのを阻止する開閉規制機構とを有することを特徴とする。
【０００９】
これにより、扉部に応力を加えてこれを強制的に開放しようとした場合には開閉規制部材により扉部が開放状態にならないので、針金等を用いて扉部に応力を加え、強制的にこれを開放する不正行為を防止することが可能になる。
【００１０】
本発明の好ましい形態において、駆動装置は、プランジャおよびこれを出没させるソレノイドであり、開閉規制機構は、ソレノイドに対して遊びを有してプランジャに取り付けられ、当該プランジャの出没運動により第１の位置と第２の位置との間を移動するリンク部材と、リンク部材および扉部に係合して配置されてリンク部材の移動により移動され、リンク部材が第１の位置にある場合には扉部を閉鎖位置にし、リンク部材が第２の位置にある場合には扉部を開放位置にするロッドと、突出端がプランジャによるリンク部材の移動軌跡よりも駆動装置側に位置するようにしてリンク部材に向けて突出形成された規制部とを有し、閉鎖位置にある扉部に応力が加えられた場合には、第１の位置にあるリンク部材は規制部に当接して第２の位置への移動が規制されることを特徴とする。
【００１１】
これにより、プランジャによるリンク部材の直進運動をロッドによる扉部の開閉運動に変換しているので、プランジャの出没動作を本体部に対して奥行き方向に設定しなくてもよくなることから、大入賞口装置が遊技盤の裏面側に突出してそこに配置される機構の設置スペースを狭めることがなくなる。
【００１２】
また、扉部に応力を加えてこれを強制的に開こうとした場合でも駆動装置に荷重がかからないので、安定した開閉駆動を行うことができる。
【００１３】
本発明のさらに好ましい形態において、リンク部材は、略Ｌ字状に形成されていることを特徴とする。
【００１４】
これにより、さらに省スペース化を実現することがことが可能になる。
【００１５】
また、上記課題を解決するため、本発明に係る遊技機は、前述した大入賞口装置が遊技盤に取り付けられていることを特徴とする。
【００１６】
これにより、扉部に応力を加えてこれを強制的に開放しようとした場合には開閉規制部材により扉部が開放状態にならないので、針金等を用いて扉部に応力を加え、強制的にこれを開放する不正行為を防止することが可能になる。
【発明の効果】
【００１７】
本発明によれば以下の効果を奏することができる。
【００１８】
すなわち、本発明によれば、扉部に応力を加えてこれを強制的に開放しようとした場合には開閉規制部材により扉部が開放状態にならないので、針金等を用いて扉部に応力を加え、強制的にこれを開放する不正行為を防止することが可能になる。
【発明を実施するための最良の形態】
【００１９】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２０】
図１は本発明の一実施の形態であるパチンコ遊技機を示す斜視図、図２は図１のパチンコ遊技機に取り付けられた大入賞口装置を示す斜視図、図３は図２の分解斜視図、図４は図２の大入賞口装置を取付基板を除去して示す正面図、図５は大入賞口装置を構成する駆動装置とリンク部材とを示す斜視図、図６は扉部が閉じている状態における開閉規制機構を示す図、図７は図６の側面図、図８は扉部が開いている状態における開閉規制機構を示す図、図９は図８の側面図、図１０は扉部に応力を加えた場合における開閉規制機構を示す図である。
【００２１】
図１に示すように、パチンコ遊技機（遊技機）１は、遊技盤２が装着された本体枠３ａがヒンジを介してベース枠３ｂに回動可能に取り付けられ、これら本体枠３ａおよびベース枠３ｂで遊技機本体３が構成されている。そして、このような遊技機本体３に対して、遊技盤２を視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００２２】
遊技盤２は、遊技盤ベース２ａと、遊技盤ベース２ａ上のガラス扉４に包囲された領域に配置された多数の遊技くぎや風車などの障害物や可変入賞装置、始動ゲート、普通図柄表示装置や特別図柄表示装置などからなる遊技部材２ｂで構成されており、発射された遊技球が打ち込まれて流下する遊技領域がある。
【００２３】
ここで、可変入賞装置は、遊技球が入賞すると特別図柄表示装置の複数の図柄を変動・停止させる始動入賞装置、および特別図柄表示装置の停止時における図柄の組み合わせが予め設定された特定の図柄の組み合わせとなって特別遊技状態に移行した場合に大入賞口の扉部が所定の開放状態となる大入賞口装置である。
【００２４】
なお、遊技盤２の背後には、例えば液晶ディスプレイ、ＣＲＴ（陰極線管）あるいはプラズマディスプレイ等からなり、画像信号入力に基づいて任意の画像を表示する図柄表示部（図示せず）が、遊技盤ベース２ａに開口された孔などの透過領域等を介して視認可能に配置されている。
【００２５】
遊技盤２の下方には、前述のように皿ユニット５が配置されている。皿ユニット５には、払い出された遊技球および遊技領域に打ち込まれる遊技球が貯留される上皿５ａが上部に配置され、払い出しにより上皿５ａからオーバーフローした遊技球が貯留される下皿５ｂが下部に配置されている。また、皿ユニット５の右側には、レール６を介して遊技盤２の遊技領域へ遊技球を打ち込む際に回動操作されるハンドル７が設けられている。さらに、遊技終了時などにおいて上皿５ａに貯留された遊技球を下皿５ｂに移動させて取り出す場合に操作されるシャッタレバー１０が設けられている。
【００２６】
なお、ガラス扉４の上部の左右には、スピーカ８ａ，８ｂがそれぞれ配置されている。
【００２７】
図２、図３および図４に示すように、このようなパチンコ遊技機１に取り付けられた大入賞口装置１１は、両翼がやや上方に傾斜して延びた弧状の取付基板１２と、取付基板１２の中央に形成された大入賞口１３を開閉する扉部１４と、取付基板１２の中央背面に取り付けられ、入賞球排出口が形成された前部筐体１５と、前部筐体１５に取り付けられた後部筐体１６などからなる。後部筐体１６には、扉部１４を開閉駆動する駆動装置１７および伝達リンク２２を介して振り分け部材１８を傾動させる傾動手段１９が取り付けられている。そして、取付基板１２、前部筐体１５および後部筐体１６で大入賞口装置１１の本体部が構成されている。
【００２８】
扉部１４は、正面に位置する扉板１４ａと、扉板１４ａの両側から後方に折れ曲がるようにして連なる略直角三角形状の側壁１４ｂ、１４ｂとからなる。また、下端部両側から内側に突き出て、回動軸１４ｃ、１４ｃが形成されている。この回動軸１４ｃ、１４ｃは、取付基板１２に形成された軸受け１２ａ、１２ａにはめ込まれており、これにより扉部１４が取付基板１２に回動自在に保持されて、大入賞口１３を閉鎖する位置と、前面に倒れてこれを開放する位置とに回動する。また、一方の側壁１４ｂにおける回動軸１４ｃの回動中心とは異なる位置には、伝達突起１４ｄが設けられている。
【００２９】
前部筐体１５は、取付基板１２と組み合わさって入賞球排出口２０（大入賞口１３に入賞した遊技球の通路空間をいう）を形成するものである。すなわち、前部筐体１５の前面には、２つの入賞球排出口２０ａ、２０ｂと、底壁面を構成する扁平方形の遊技球検知センサ（中央に遊技球の通過孔を有し遊技球の通過を検知する非接触スイッチ）Ｓ１、Ｓ２が収容されるセンサ取付部２１ａ、２１ｂが形成されている。
【００３０】
また、後部筐体１６には、扉部１４を開閉する駆動装置１７を裏面側に取り付けるブラケット部１６ａ、振り分け部材１８を傾動させる傾動手段１９を前面側に取り付けるブラケット部１６ｂが一体的に形成されている。
【００３１】
駆動装置１７および傾動手段１９は、プランジャ１７ａ、１９ａおよびこれを上下方向に出没させるソレノイド１７ｂ、１９ｂから構成されるプランジャ式ソレノイドである。そして、プランジャ１７ａ、１９ａの先端にはフランジ１７ａ−１、１９ａ−１が形成されており、フランジ１７ａ−１、１９ａ−１およびソレノイド１７ｂ、１９ｂに圧接するようにして、プランジャ１７ａ、１９ａを突出した状態に保持する圧縮コイルばね（図示せず）がプランジャ１７ａ、１９ａにはめ込まれている。
【００３２】
ここで、駆動装置１７と扉部１４との間には、開閉規制機構が設けられている。この開閉規制機構は、駆動装置１７による扉部１４の開閉動作を許容する一方で、扉部１４に直接に応力が加えられた場合には扉部１４が開くのを阻止する。
【００３３】
より具体的に説明すると、開閉規制機構は、プランジャ１７ａに取り付けられてプランジャ１７ａの出没運動により第１の位置（プランジャ１７ａが突出した位置）と第２の位置（プランジャ１７ａが没入した位置）との間をほぼ直線軌跡で移動する略Ｌ字状のリンク部材２３と（図５参照）、リンク部材２３および扉部１４に係合して配置されてリンク部材２３の移動により移動するロッド２４と、突出端がプランジャ１７ａによるリンク部材２３の移動軌跡よりも駆動装置１７側に位置するようにしてリンク部材２３に向けて突出形成された規制部２５と（図６〜図１０）で構成されている。
【００３４】
リンク部材２３には溝２３ａが形成され、この溝２３ａがプランジャ１７ａのフランジ１７ａ−１に緩やかに差し込まれており、このような構造により、リンク部材２３はソレノイド１７ｂに対して遊びを有している。但し、プランジャ１７ａをソレノイド１７ｂに対してガタを持たせ、このようなプランジャ１７ａにリンク部材２３を取り付けることにより、リンク部材２３をソレノイド１７ｂに対して遊びを持たせてもよい。
【００３５】
ロッド２４は、前部筐体１５に突出されたピン１５ａに回動可能にはめ込まれるとともに長孔２４ａにはリンク部材２３に設けられた係合ピン２３ｂが係合している。また、ロッド２４の先端は二股状になって前述した扉部１４の伝達突起１４ｄを上下から遊びを持って挟むように係合している。これにより、リンク部材２３の移動によりロッド２４がピン１５ａを支点に揺動されることでリンク部材２３の直線運動が揺動運動に変換されて扉部１４に伝達される。そして、ロッド２４は、リンク部材２３が第１の位置にある場合には伝達突起１４ｄを回動軸１４ｃよりも下に押し下げて扉部１４を閉鎖位置にし、リンク部材２３が第２の位置にある場合には伝達突起１４ｄを回動軸１４ｃよりも上に押し上げて扉部１４を開放位置にする。
【００３６】
このような開閉規制機構において、駆動装置１７のプランジャ１７ａは、ソレノイド１７ｂが励磁されない場合は圧縮コイルばねの力で突出され、前述のようにプランジャ１７ａに取り付けられたリンク部材２３は第１の位置となるので、このリンク部材２３と係合するロッド２４は扉部１４を閉じた状態に維持する（図６、図７）。なお、この際、扉部１４の扉板１４ａの上辺内面が取付基板１２に当接して閉鎖位置に保持される。
【００３７】
ソレノイド１７ｂが励磁されると、プランジャ１７ａは、圧縮コイルばねの力に抗してソレノイド１７ｂの磁着部（図示せず）に吸着されるので、これによりリンク部材２３が第２の位置に移動してロッド２４を揺動させる。これにより伝達突起１４ｄが押し上げられて扉部１４が前方に傾倒し、大入賞口１３が開放される（図８、図９）。
【００３８】
このとき、リンク部材２３はソレノイド１７ｂが励磁されたときにおけるプランジャ１７ａの没入により移動するので、第１の位置にあるリンク部材２３には、図９に示すように、プランジャ１７ａとの取付部にプランジャ１７ａの没入方向（つまり、第２の位置に向かう方向）への力が働くとともにロッド２４に係合している係合ピン２３ｂにはそのままの位置にとどまる力が働く。これにより、リンク部材２３は、それが有する遊びのために規制部２５とは反対方向に倒れる力が加わった状態で第１の位置から移動を開始し、規制部２５には当接することなく第２の位置へと移動するものである。
【００３９】
そして、扉部１４に応力を加えてこれを強制的に開放しようとした場合には、図１０に示すように、第１の位置にあるリンク部材２３には、扉部１４と係合したロッド２４を介してリンク部材２３の係合ピン２３ｂに第２の位置に向かう方向への力が働くとともにプランジャ１７ａとの取付部にはそのままの位置にとどまる力が働く。これにより、リンク部材２３は、それが有する遊びのために規制部２５側に倒れた状態で第１の位置から移動を開始する。すると、リンク部材２３は、プランジャ１７ａによる移動軌跡とは異なり、規制部２５へ傾斜した状態での移動軌跡となって先端が規制部２５に当接してその変位が規制され、第２の位置へ到達することができなくなる。すなわち、扉部１４が開放状態になることが阻止される。
【００４０】
これにより、本実施の形態の大入賞口装置１１では、針金等を用いて扉部１４に応力を加え、強制的にこれを開放する不正行為を防止することが可能になる。
【００４１】
また、扉部１４に応力を加えてこれを強制的に開こうとした場合でも駆動装置１７に荷重がかからないので、安定した開閉駆動を行うことができる。
【００４２】
さらに、プランジャ１７ａによるリンク部材２３の直進運動をロッド２４による扉部１４の開閉運動に変換しているので、プランジャ１７ａの出没動作を本体部に対して奥行き方向に設定しなくてもよくなることから、大入賞口装置１１が遊技盤の裏面側に突出してそこに配置される機構の設置スペースを狭めることがない。
【００４３】
そして、リンク部材２３を略Ｌ字状に形成することにより、さらに省スペース化を実現することができる。
【００４４】
さて、大入賞口の底面を構成する振り分け部材１８は、取付基板１２の内面に形成された軸孔（図示せず）と前部筐体１５に形成された軸孔（図示せず）に支持されて揺動可能に設けられている。また、振り分け部材１８は、２つの入賞球排出口２０ａ、２０ｂの間に位置しており、扉部１４により開放された大入賞口１３に入賞した遊技球を受け、センサＳ１あるいはセンサＳ２が配置された何れかの入賞球排出口２０ａ、２０ｂに遊技球を振り分けるものである。
【００４５】
また、伝達リンク２２は、傾動手段１９を構成するプランジャ１９ａのフランジ１９ａ−１に差し込まれてソレノイド１９ｂにより上下方向に移動可能に設けられており、さらに係合ピン２２ａが前述した振り分け部材１８に遊びを持って差し込まれている。これにより、伝達リンク２２は、プランジャ１９ａにより上下方向に移動されることにより、振り分け部材１８を一方の入賞球排出口２０ａ側および他方の入賞球排出口２０ｂ側に傾動させる。
【００４６】
振り分けに際しては、いずれかの入賞球排出口（たとえば入賞球排出口２０ａ）を継続入賞口に設定し、他方の入賞球排出口（たとえば入賞球排出口２０ｂ）を一般入賞口とし、振り分け部材１８を一般入賞口側に傾けておく。
【００４７】
大入賞口開放の信号が入力されると、前述のようにして扉部１４が前方に倒れて大入賞口１３が開放されるとともにソレノイド１９ｂが励磁されて振り分け部材１８が継続入賞口側に傾動される。これにより、当初に入賞した遊技球は振り分け部材１８により継続入賞口に案内される。継続入賞口である入賞球排出口２０ａに対応して配置されたセンサＳ１が遊技球を検知すると、ソレノイド１９ｂの励磁が解除され、振り分け部材１８は元に戻り一般入賞口である入賞球排出口２０ｂ側に傾き、ここに遊技球を案内する。そして、一定時間あるいは一定の数の遊技球の入賞が終了すると大入賞口１３を閉じる。この一連の動作を所定回繰り返すと大開放は終了する。
【産業上の利用可能性】
【００４８】
以上の説明においては、本発明を遊技機の一つであるパチンコ遊技機に適用した場合が説明されているが、本発明はパチンコ遊技機に限定されるものではなく、大入賞口を有する様々な遊技機に適用することが可能である。
【図面の簡単な説明】
【００４９】
【図１】本発明の一実施の形態であるパチンコ遊技機を示す斜視図である。
【図２】図１のパチンコ遊技機に取り付けられた大入賞口装置を示す斜視図である。
【図３】図２の分解斜視図である。
【図４】図２の大入賞口装置を取付基板を除去して示す正面図である。
【図５】大入賞口装置を構成する駆動装置とリンク部材とを示す斜視図である。
【図６】扉部が閉じている状態における開閉規制機構を示す図である。
【図７】図６の側面図である。
【図８】扉部が開いている状態における開閉規制機構を示す図である。
【図９】図８の側面図である。
【図１０】扉部に応力を加えた場合における開閉規制機構を示す図である。
【符号の説明】
【００５０】
１  パチンコ遊技機
２  遊技盤
２ａ  遊技盤ベース
２ｂ  遊技部材
３  遊技機本体
３ａ  本体枠
３ｂ  ベース枠
４  ガラス扉
５  皿ユニット
５ａ  上皿
５ｂ  下皿
６  レール
７  ハンドル
８ａ，８ｂ  スピーカ
１０  シャッタレバー
１１  大入賞口装置
１２  取付基板
１２ａ  軸受け
１３  大入賞口
１４  扉部
１４ａ  扉板
１４ｂ  側壁
１４ｃ  回動軸
１４ｄ  伝達突起
１５  前部筐体
１５ａ  ピン
１６  後部筐体
１６ａ、１６ｂ  ブラケット部
１７  駆動装置
１７ａ  プランジャ
１７ａ−１  フランジ
１７ｂ  ソレノイド
１８  振り分け部材
１９  傾動手段
１９ａ  プランジャ
１９ａ−１  フランジ
１９ｂ  ソレノイド
２０、２０ａ、２０ｂ  入賞球排出口
２１ａ、２１ｂ  センサ取付部
２２  伝達リンク
２２ａ  係合ピン
２３  リンク部材
２３ａ  溝
２３ｂ  係合ピン
２４  ロッド
２４ａ  長孔
２５  規制部
Ｓ１、Ｓ２  センサ
【図１】
2005323756.tif 000003
【図２】
2005323756.tif 000004
【図３】
2005323756.tif 000005
【図４】
2005323756.tif 000006
【図５】
2005323756.tif 000007
【図６】
2005323756.tif 000008
【図７】
2005323756.tif 000009
【図８】
2005323756.tif 000010
【図９】
2005323756.tif 000011
【図１０】
2005323756.tif 000012